(57)【特許請求の範囲】
【請求項１】
前面と、これに対向する背面と、前記前面及び背面の間に設けられた対向する一対の側面と、前面及び背面の上縁から延設された一対の上側外フラップと、前記一対の側面の上縁から延設された一対の上側内フラップと、前面及び背面の下縁から延設された一対の下側外フラップと、前記一対の側面の下縁から延設された一対の下側内フラップとを具備しており、前記前面と一対の側面との境目に形成された一対の縦切断線と、前面と上側外フラップとの境目から前記一対の縦切断線に向かって斜め方向に形成された一対の前面上側折り曲げ線と、この前面上側折り曲げ線より下側外フラップ側で前面の下縁に向かって形成された一対の前面下側折り曲げ線とを有する包装箱において、
前記前面上側折り曲げ線は、前面の上縁から縦切断線にまで達しており、前記前面下側折り曲げ線は、前記前面上側折り曲げ線と縦切断線との交点から前記前面上側折り曲げ線と前面の上縁との交点から垂下される仮想線までの間に形成されていることを特徴とする包装箱。
【請求項２】
前面と、これに対向する背面と、前記前面及び背面の間に設けられた対向する一対の側面と、前面及び背面の上縁から延設された一対の上側外フラップと、前記一対の側面の上縁から延設された一対の上側内フラップと、前面及び背面の下縁から延設された一対の下側外フラップと、前記一対の側面の下縁から延設された一対の下側内フラップとを具備しており、前記前面と一対の側面との境目に形成された一対の縦切断線と、前面と上側外フラップとの境目から前記一対の縦切断線に向かって斜め方向に形成された一対の前面上側折り曲げ線と、この前面上側折り曲げ線より下側外フラップ側で前面の下縁に向かって形成された一対の前面下側折り曲げ線とを有する包装箱において、
前記前面上側折り曲げ線は、前面の上縁から縦切断線に向かって形成されてはいるが、縦切断線には達しておらず、前記前面下側折り曲げ線は、前記前面上側折り曲げ線を延長して縦切断線と交わる点から前記前面上側折り曲げ線と前面の上縁との交点から垂下される仮想線までの間に形成されてはいるが、縦切断線には達していないことを特徴とする包装箱。
【請求項３】
前記仮想線は、前面の幅寸法をＡとした場合、上縁の端部から内側に向かってＡ／６〜Ａ／５だけ入った範囲内にあることを特徴とする請求項１又は２記載の包装箱。
【発明の詳細な説明】
【技術分野】
【０００１】
本発明は、商品の輸送のための梱包と、店頭における陳列とに兼用できる包装箱に関する。
【背景技術】
【０００２】
従来のこの種の包装箱としては、特許第３８８３５１７号に係るものがある。
この包装箱は『各一対の端壁及び側壁の上縁からそれぞれ延出した内フラップと外フラップとを重ねて封緘し、側壁の横切線と、側壁から外フラップへ至る２本の縦切線と、外フラップの横切線とを切断して商品を陳列する梱包陳列兼用箱において、各一対の端壁及び側壁から成る周壁の全周に亘って貼着したカットテープの一部を横切線とし、側壁の横切線を両端壁へ回り込ませ、外フラップの横切線を両側縁まで延長し、その下方に重なる内フラップから端壁へ至る横切線を、側壁から回り込んだ横切線まで到達させ、側壁に、カットテープを切り込んで横切線の始端となる切端部を形成し、端壁に、カットテープを切り込んで横切線及び縦切線の終端となる切端部を形成した』ものがある。
【０００３】
【特許文献１】特許第３８８３５１７号公報
【発明の開示】
【発明が解決しようとする課題】
【０００４】
しかしながら、この包装箱を店頭での展示のために開封するには、切端部から両側へカットテープを引っ張って横切線の部分を切端部まで切断する工程と、横切線の切取部分に手を入れて、縦切線及び横切線を切断し、２本の縦切線の間を側壁から外フラップまで取り除く工程と、横切線の残部と縦切線とを切断し、重なり合った内フラップと外フラップの前部、側壁の前部及び側壁の両側部からなる前角部を除去する工程との合計３つの手順を踏む必要がある。
また、縦切線と横切線とを切断する際に側面の上部が湾曲する結果、縦切線がきれいに切断できないという問題もある。このため、側面の上部が湾曲しないように、横切線の切断と縦切線の切断とを別々に行わなければならず、よけいな手間もかかる。
【０００５】
本発明は、上記事情に鑑みて創案されたもので、店頭での展示等のために上側外フラップと前面の一部とを同時かつ容易に除去することができる包装箱を提供することを目的としている。
【課題を解決するための手段】
【０００６】
本発明に係る包装箱は、前面と、これに対向する背面と、前記前面及び背面の間に設けられた対向する一対の側面と、前面及び背面の上縁から延設された一対の上側外フラップと、前記一対の側面の上縁から延設された一対の上側内フラップと、前面及び背面の下縁から延設された一対の下側外フラップと、前記一対の側面の下縁から延設された一対の下側内フラップとを備えており、前記前面と一対の側面との境目に形成された一対の縦切断線と、前面と上側外フラップとの境目から前記一対の縦切断線に向かって斜め方向に形成された一対の前面上側折り曲げ線と、この前面上側折り曲げ線より下側外フラップ側で前面の下縁に向かって形成された一対の前面下側折り曲げ線とを有する包装箱であって、前記前面上側折り曲げ線は、前面の上縁から縦切断線にまで達しており、前記前面下側折り曲げ線は、前記前面上側折り曲げ線と縦切断線との交点から前記前面上側折り曲げ線と前面の上縁との交点から垂下される仮想線までの間に形成されている。
また、本発明に係る他の包装箱は、前面と、これに対向する背面と、前記前面及び背面の間に設けられた対向する一対の側面と、前面及び背面の上縁から延設された一対の上側外フラップと、前記一対の側面の上縁から延設された一対の上側内フラップと、前面及び背面の下縁から延設された一対の下側外フラップと、前記一対の側面の下縁から延設された一対の下側内フラップとを備えており、前記前面と一対の側面との境目に形成された一対の縦切断線と、前面と上側外フラップとの境目から前記一対の縦切断線に向かって斜め方向に形成された一対の前面上側折り曲げ線と、この前面上側折り曲げ線より下側外フラップ側で前面の下縁に向かって形成された一対の前面下側折り曲げ線とを有する包装箱であって、前記前面上側折り曲げ線は、前面の上縁から縦切断線に向かって形成されてはいるが、縦切断線には達しておらず、前記前面下側折り曲げ線は、前記前面上側折り曲げ線を延長して縦切断線と交わる点から前記前面上側折り曲げ線と前面の上縁との交点から垂下される仮想線までの間に形成されてはいるが、縦切断線には達していない。
【発明の効果】
【０００７】
本発明に係る包装箱は、前面に一対の前面上側折り曲げ線と、この前面上側折り曲げ線より下側外フラップ側で前面の下縁に向かって形成された一対の前面下側折り曲げ線とを設けているため、縦切断線で前面を切断する際に、前面上側折り曲げ線が山折りとなることで、縦切断線の切断が促進されるとともにスムーズとなり、また切断が下方に進むに従って前面下側折り曲げ線が谷折りとなることで、切断が縦切断線から外れることがない。
【図面の簡単な説明】
【０００８】
【図１】本発明の実施の形態に係る包装箱の閉ざされた状態を示す概略的斜視図である。
【図２】本発明の実施の形態に係る包装箱の概略的展開図である。
【図３】本発明の実施の形態に係る包装箱の封緘された状態を示す概略的斜視図である。
【図４】本発明の実施の形態に係る包装箱の上側外フラップを開放用切断線から切断している途中の状態を示す概略的斜視図である。
【図５】本発明の実施の形態に係る包装箱の前面を縦切断線から切断している途中の状態を示す概略的斜視図である。
【図６】本発明の実施の形態に係る包装箱の上側外フラップ及び前面をすべて切断した状態を示す概略的斜視図である。
【図７】本発明の実施の形態に係る包装箱の上側外フラップ、前面のすべて及び上側内フラップの一部を切断した状態を示す概略的斜視図である。
【図８】本発明の他の実施の形態に係る包装箱の概略的展開図である。
【発明を実施するための形態】
【０００９】
本発明の実施の形態に係る包装箱１０００は、前面１００と、これに対向する背面２００と、前記前面１００及び背面２００の間に設けられた対向する一対の側面３００Ａ、３００Ｂと、前面１００及び背面２００の上縁１１０、２１０から延設された一対の上側外フラップ４００Ａ、４００Ｂと、前記一対の側面３００Ａ、３００Ｂの上縁３１０Ａ、３１０Ｂから延設された一対の上側内フラップ５００Ａ、５００Ｂと、前面１００及び背面２００の下縁１２０、２２０から延設された一対の下側外フラップ４１０Ａ、４１０Ｂと、前記一対の側面３００Ａ、３００Ｂの下縁３２０Ａ、３２０Ｂから延設された一対の下側内フラップ５１０Ａ、５１０Ｂとを備えており、前記前面１００と一対の側面３００Ａ、３００Ｂとの境目に形成された一対の縦切断線１３０Ｌ、１３０Ｒと、前面１００と上側外フラップ４００Ａ、４００Ｂとの境目から前記一対の縦切断線１３０Ｌ、１３０Ｒに向かって斜め方向に形成された一対の前面上側折り曲げ線１４０Ｌ、１４０Ｒと、この前面上側折り曲げ線１４０Ｌ、１４０Ｒより下側外フラップ４１０Ａ側で前面１００の下縁１２０に向かって形成された一対の前面下側折り曲げ線１５０Ｌ、１５０Ｒとを有している。
しかも、前記前面上側折り曲げ線１４０Ｌ、１４０Ｒは、前面１００の上縁１１０から縦切断線１３０Ｌ、１３０Ｒにまで達しており、前記前面下側折り曲げ線１５０Ｌ、１５０Ｒは、前記前面上側折り曲げ線１４０Ｌ、１４０Ｒと縦切断線１３０Ｌ、１３０Ｒとの交点Ｐ２Ｌ、Ｐ２Ｒから前記前面上側折り曲げ線１４０Ｌ、１４０Ｒと前面１００の上縁１１０との交点Ｐ１Ｌ、Ｐ１Ｒから垂下される仮想線ＰＶＬ、ＰＶＲまでの間に形成されている。
【００１０】
この包装箱１０００は、段ボール製でみかん箱タイプと呼ばれることもあるいわゆるＡ式（ＪＩＳ０２０１形）である。かかる包装箱１０００は、封緘された状態から上側外フラップ４００Ａの一部とそれに連なる前面１００とを確実に除去することができるようになっている。
従って、この包装箱１０００は、上側外フラップ４００Ａの一部とそれに連なる前面１００とを除去することで、内部に収納された物品、例えばスナック菓子等の商品を露出できるので、商品を包装箱１０００から取り出して商品棚に並べずとも包装箱１０００ごと店頭に陳列することができる。
【００１１】
前記前面１００は長方形状に形成されている。前記側面３００Ａは前記前面１００とは高さ寸法は同じであるが、幅寸法が若干小さい長方形状に形成されている。また、前記背面２００は前面１００と同サイズに、側面３００Ｂは側面３００Ａと同サイズに設定されている。
従って、包装箱１０００は、全体として直方体状に形成されている。
【００１２】
この包装箱１０００は、図２に示すような一枚の段ボールを組み立てることで立方体状に形成される。
すなわち、この包装箱１０００は、長方形状の前面１００と、この前面１００の左右に連なる側面３００Ａ、３００Ｂと、この側面３００Ａの右側に連なる背面２００と、前記前面１００の上縁１１０に連なる上側外フラップ４００Ａと、前面１００の下縁１２０に連なる下側外フラップ４１０Ａと、前記側面３００Ａ、３００Ｂの上縁３１０Ａ、３１０Ｂに連なる上側内フラップ５００Ａ、５００Ｂと、前記背面２００の上縁２１０に連なる上側外フラップ４００Ｂと、前記背面２００の下縁２２０に連なる下側外フラップ４１０Ｂと、前記側面３００Ａ、３００Ｂの下縁３２０Ａ、３２０Ｂに連なる下側内フラップ５１０Ａ、５１０Ｂとが形成された一枚の段ボールを組み立てることで立方体状に形成されるのである。
【００１３】
前記前面１００と一対の側面３００Ａ、３００Ｂとの境目には、ミシン目からなる縦切断線１３０Ｌ、１３０Ｒが形成されている。この縦切断線１３０Ｌ、１３０Ｒは、前記境目の上端と下端との間に形成されている。
また、前記前面１００と下側外フラップ４１０Ａとの境目、すなわち前面１００の下縁１２０には、ミシン目からなる下縁切断線１２１が形成されている。
【００１４】
また、この前面１００には、罫線である前面上側折り曲げ線１４０Ｌ、１４０Ｒと前面下側折り曲げ線１５０Ｌ、１５０Ｒとが形成されている。なお、罫線とは、段ボールを箱などの立体的な形状に組み立てる際に綺麗に折り曲がるように、折り曲げる部分をつぶした線のことをいう。
【００１５】
前記前面上側折り曲げ線１４０Ｌ、１４０Ｒは、前面１００の上縁１１０と縦切断線１３０Ｌ、１３０Ｒとの間に斜め４５°で形成されている。すなわち、前面１００の幅寸法をＡとした場合、上縁１１０の端部から内側に向かってＡ／６だけ入った部分を第１点Ｐ１Ｌ、Ｐ１Ｒ、上縁１１０の端部から縦切断線１３０Ｌ、１３０Ｒに沿ってＡ／６だけ下がった部分を第２点Ｐ２Ｌ、Ｐ２Ｒとし、第１点Ｐ１Ｌ、Ｐ１Ｒと第２点Ｐ２Ｌ、Ｐ２Ｒとを結ぶように前面上側折り曲げ線１４０Ｌ、１４０Ｒが形成される。
【００１６】
また、前記前面下側折り曲げ線１５０Ｌ、１５０Ｒは、前記縦切断線１３０Ｌ、１３０Ｒと前面１００の下縁１２０との間に斜めに形成されている。すなわち、前記第１点Ｐ１Ｌ、Ｐ１Ｒから前面１００の下縁１２０に向かって垂下された仮想線ＰＶＬ、ＰＶＲ（一点鎖線で示す）と下縁１２０との交点を第３点Ｐ３Ｌ、Ｐ３Ｒとした場合、前記第２の点Ｐ２Ｌ、Ｐ２Ｒと前記第３点Ｐ３Ｌ、Ｐ３Ｒの若干上側に位置する第４点Ｐ４Ｌ、Ｐ４Ｒとの間とを結ぶように前面下側折り曲げ線１５０Ｌ、１５０Ｒが形成される。
【００１７】
すなわち、前面上側折り曲げ線１４０Ｌ、１４０Ｒと前面下側折り曲げ線１５０Ｌ、１５０Ｒとは、第２点Ｐ２Ｌ、Ｐ２Ｒにおいて連なっていることになる。
また、第１点Ｐ１Ｌ、Ｐ１Ｒ、第３点Ｐ３Ｌ、Ｐ３Ｒ、第４点Ｐ４Ｌ、Ｐ４Ｒは、一点鎖線で示す仮想線ＰＶＬ、ＰＶＲ上にそれぞれ形成されるが、縦切断線１３０Ｌ、１３０Ｒと仮想線ＰＶＬ、ＰＶＲとがＡ／６だけ離れていることになる。
【００１８】
前面１００の上縁１１０からは、前面１００と幅寸法が同じで、前記側面３００Ａ、３００Ｂの幅寸法の約１／２の長さ寸法の上側外フラップ４００Ａが延設されている。
この上側外フラップ４００Ａには、前記上縁１１０と対向する辺に対して平行なジッパー線としての開放用切断線４０１Ａが形成されている。この開放用切断線４０１Ａは、組み立てられた包装箱１０００を開ける場合に、上側外フラップ４００Ａともう一方の上側外フラップ４００Ｂとを跨いで封緘している封緘テープ７００を貼ったまま上側外フラップ４００Ａの一部とともに剥がす際に切断される部分である。
【００１９】
また、前記開放用切断線４０１Ａの中間部には、上側外フラップ４００Ａ等を除去する際、縦切断線１３０Ｌ、１３０Ｒを切断するための取っかかりを作るために指等を挿入するための手掛け孔４０２Ａ（図４参照）を形成するための切込み４０２が形成されている。
さらに、この上側外フラップ４００Ａには、前記切込み４０２から前記上縁１１０の両端部に向かった斜め罫線である一対の外フラップ折り曲げ線４０３Ｌ、４０３Ｒが形成されている。
【００２０】
また、この前面１００の下縁１２０からは、前面１００と幅寸法が同じで、前記側面３００Ａ、３００Ｂの幅寸法の約１／２の長さ寸法の下側外フラップ４１０Ａが延設されている。
この下縁１２０には、前記縦切断線１３０Ｌ、１３０Ｒの間、すなわち前面１００と下側外フラップ４１０Ａとの境目の全長に渡ってミシン目からなる下縁切断線１２１が形成されている。
【００２１】
一方、背面２００の上縁２１０からは、背面２００と幅寸法が同じで、前記側面３００Ａ、３００Ｂの幅寸法の約１／２の長さ寸法の上側外フラップ４００Ｂが延設されている。この上側外フラップ４００Ｂは、前記上側外フラップ４００Ａと同サイズに設定されている。
また、背面２００の下縁２２０からは、背面２００と幅寸法が同じで、前記側面３００Ａ、３００Ｂの幅寸法の約１／２の長さ寸法の下側外フラップ４１０Ｂが延設されている。この下側外フラップ４１０Ｂは、前記下側外フラップ４１０Ａと同サイズに設定されている。
【００２２】
前記背面２００の一方の縁部（側面３００Ａとは反対側の縁部）には、略台形状の継ぎ代２５０が突出形成されている。この継ぎ代２５０は、もう一方の側面３００Ｂの内側面に連結される部分である。
なお、この背面２００には、前面１００における縦切断線１３０Ｌ、１３０Ｒ、前面上側折り曲げ線１４０Ｌ、１４０Ｒや前面下側折り曲げ線１５０Ｌ、１５０Ｒに相当するものは形成されていない。
【００２３】
また、前記側面３００Ａの上縁３１０Ａからは、側面３００Ａと幅寸法が同じ上側内フラップ５００Ａが延設されている。この上側内フラップ５００Ａは、前記上側内フラップ４００Ａ側の上角部が矩形状に切り欠かれた略Ｌ字形状の変形六角形状に形成されている。また、この上側内フラップ５００Ａには、上縁３１０Ａに沿ってジッパー線である内フラップ第１切断線５０１Ａと、この内フラップ切断線５０１Ａの端部から垂直にミシン目である内フラップ第２切断線５０２Ａとが形成されている。
この内フラップ第１切断線５０１Ａと内フラップ第２切断線５０２Ａとは、上側外フラップ４００が取り除かれた場合に露出する部分を切り欠くためのものである。
なお、もう一方の側面３００Ｂの上縁３１０Ｂに連設される上側内フラップ５００Ｂは、上述した上側内フラップ５００Ａと左右対称に形成されている。
【００２４】
上述のような各面から構成された包装箱１０００は、図３に示すように、上側内フラップ５００Ａと上側内フラップ５００Ｂとの上から、上側外フラップ４００Ａと上側外フラップ４００Ｂとが閉じられ、封緘テープ７００が上側外フラップ４００Ａと上側外フラップ４００Ｂとに跨がって貼り付けられることで上面が封緘される。もちろん、底面も下側内フラップ５１０Ａと下側内フラップ５１０Ｂとの上から、下側外フラップ４１０Ａと下側外フラップ４１０Ｂとが閉じられ、封緘テープ７１０が下側外フラップ４１０Ａと下側外フラップ４１０Ｂとに跨がって貼り付けられることで封緘される。
【００２５】
このように封緘された包装箱１０００は、以下のような手順で上側外フラップ４００Ａとそれに連なる前面１００の一部を除去できる。
まず、図４に示すように、封緘テープ７００で封緘されたままの状態で切込み４０２を開放して手掛け孔４０２Ａを形成する。この手掛け孔４０２Ａに手等を挿入し、上側外フラップ４００Ａを上側に引き上げる。
すると、この包装箱１０００は、上側外フラップ４００Ａの上側への引き上げに伴って、外フラップ折り曲げ線４０３Ｌ、４０３Ｒが持ち上げられるとともに、開放用切断線４０１Ａが切断されて、上側外フラップ４００Ａが開かれる。
なお、外フラップ折り曲げ線４０３Ｌ、４０３Ｒが若干山折りとなることで開放用切断線４０１Ａのスムーズな切断が促進される。
【００２６】
開放用切断線４０１Ａがすべて切断されることで開放された上側外フラップ４００Ａを前面１００とともにさらに下側かつ手前側に引っ張ることにより、縦切断線１３０Ｌ、１３０Ｒが上側から下側に向かって順次切断される。
縦切断線１３０Ｌ、１３０Ｒの切断が第２点Ｐ２Ｌ、Ｐ２Ｒに達するまでの間は、前面上側折り曲げ線１４０Ｌ、１４０Ｒが山折りとなることで、縦切断線１３０Ｌ、１３０Ｒの切断が促進されるとともにスムーズとなり、切断が縦切断線１３０Ｌ、１３０Ｒから外れることがない。
【００２７】
また、縦切断線１３０Ｌ、１３０Ｒの切断が進んで第２点Ｐ２Ｌ、Ｐ２Ｒに達すると、前面１００に形成された前面下側折り曲げ線１５０Ｌ、１５０Ｒは谷折りとなる。この前面下側折り曲げ線１５０Ｌ、１５０Ｒが谷折りになることによって、縦切断線１３０Ｌ、１３０Ｒの切断が促進されるとともにスムーズとなり、切断が縦切断線１３０Ｌ、１３０Ｒから外れることがないようにする効果が生じる。
【００２８】
縦切断線１３０Ｌ、１３０Ｒが下端まで切断された状態で、前面１００の下縁１２０の下縁切断線１２１を切断する。これにより、上側外フラップ４００Ａとそれに連なった前面１００とが包装箱１０００から切り離される。すなわち、前面１００に相当する部分がすべて開放されるとともに、上側外フラップ４００Ａの一部に相当する部分が開放される。
【００２９】
図６に示すような上側外フラップ４００Ａが切断された状態から、さらに上側内フラップ５００Ａ、５００Ｂに形成されているジッパー線である内フラップ第１切断線５０１Ａ、５０１Ｂと、内フラップ第２切断線５０２Ａ、５０２Ｂとを切断することにより、図７に示すように、上側内フラップ５００Ａ、５００Ｂの露出した部分を削除することができる。
これにより、前面１００及び上側外フラップ４００Ａに相当する部分が完全に解放されることになる。
【００３０】
上述した実施の形態にかかる包装箱１０００では、前面１００の前面上側折り曲げ線１４０Ｌ、１４０Ｒと前面下側折り曲げ線１５０Ｌ、１５０Ｒとは、第２点Ｐ２Ｌ、Ｐ２Ｒにおいて連なっているとしたが、前面上側折り曲げ線１４０Ｌ、１４０Ｒと前面下側折り曲げ線１５０Ｌ、１５０Ｒとはこのような構成に限定されるものではなく、図８に示すようなものであってもよい。
すなわち、この包装箱１０００Ｓでは、前面上側折り曲げ線１４０Ｌ、１４０Ｒは第１点Ｐ１Ｌ、Ｐ１Ｒと第２点Ｐ２Ｌ、Ｐ２Ｒとを結ぶ線上には形成されるが、第２点Ｐ２Ｌ、Ｐ２Ｒには達しないようになっている。また，この包装箱１０００Ｓでは、前面下側折り曲げ線１５０Ｌ、１５０Ｒは第２点Ｐ２Ｌ、Ｐ２Ｒと第４点４Ｌ、Ｐ４Ｒとを結ぶ線上には形成されるが、第２点Ｐ２Ｌ、Ｐ２Ｒには達しないようになっている。
なお、第１点Ｐ１Ｌ、Ｐ１Ｒ、第３点Ｐ３Ｌ、Ｐ３Ｒ、第４点Ｐ４Ｌ、Ｐ４Ｒは、一点鎖線で示す仮想線ＰＶＬ、ＰＶＲ上にそれぞれ形成されるが、前面１００の幅寸法をＡとした場合、縦切断線１３０Ｌ、１３０Ｒと仮想線ＰＶＬ、ＰＶＲとがＡ／６だけ離れている点も上述した包装箱１０００と同様である。
なお、この包装箱１０００Ｓの他の部分は、上述した包装箱１０００と同様であるので、その詳細な説明は省略する。
【００３１】
この包装箱１０００Ｓのように、前面上側折り曲げ線１４０Ｌ、１４０Ｒと前面下側折り曲げ線１５０Ｌ、１５０Ｒとが連続していないのは、保管等で包装箱１０００Ｓを積み上げた場合を考慮したものである。
一般的にこの種の段ボール製の包装箱は、包装箱のコーナー部で上下方向の強度を他の部分より多く確保しているため、前記縦切断線１３０Ｌ、１３０Ｒが形成されたコーナー部にまで前面上側折り曲げ線１４０Ｌ、１４０Ｒと前面下側折り曲げ線１５０Ｌ、１５０Ｒとを連続させると、コーナー部での強度の低下という問題が生じ、胴膨れや倒壊といった事故が発生する危険性があるためである。
【００３２】
また、上述した実施の形態では、前面上側折り曲げ線１４０Ｌ、１４０Ｒ及び前面下側折り曲げ線１５０Ｌ、１５０Ｒは、前面１００の幅寸法をＡとした場合、上縁１１０の端部から内側に向かってＡ／６だけ入った部分を第１点Ｐ１Ｌ、Ｐ１Ｒとし、この第１点Ｐ１Ｌ、Ｐ１Ｒから下縁１２０に向かって垂下された仮想線ＰＶＬ、ＰＶＲを基準として形成されるとしたが、本発明がこれに限定されるわけでない。
前記仮想線ＰＶＬ、ＰＶＲは、前面の幅寸法をＡとした場合、上縁の端部から内側に向かってＡ／６〜Ａ／５だけ入った範囲内にあればよい。
この仮想線ＰＶＬ、ＰＶＲに従って前面上側折り曲げ線１４０Ｌ、１４０Ｒ及び前面下側折り曲げ線１５０Ｌ、１５０Ｒを形成することで、上側外フラップ４００Ａの切断に続いて縦切断線１３０Ｌ、１３０Ｒの切断による前面１００の切断がスムーズかつ順調に外れなく行うことができるのである。
【符号の説明】
【００３３】
１００    前面
１１０    （前面の）上縁
１２０    （前面の）下縁
１３０Ｌ  縦切断線
１３０Ｒ  縦切断線
１４０Ｌ  前面上側折り曲げ線
１４０Ｒ  前面上側折り曲げ線
１５０Ｌ  前面下側折り曲げ線
１５０Ｒ  前面下側折り曲げ線
２００    背面
２１０    （背面の）上縁
２２０    （背面の）下縁
３００Ａ  側面
３００Ｂ  側面
３１０Ａ  （側面の）上縁
３１０Ｂ  （側面の）上縁
３２０Ａ  （側面の）下縁
３２０Ｂ  （側面の）下縁
４００Ａ  上側外フラップ
４００Ｂ  上側外フラップ
４１０Ａ  下側外フラップ
４１０Ｂ  下側外フラップ
５００Ａ  上側内フラップ
５００Ｂ  上側内フラップ
５１０Ａ  下側内フラップ
５１０Ｂ  下側内フラップ
【図１】
0006764659.tif 000002
【図２】
0006764659.tif 000003
【図３】
0006764659.tif 000004
【図４】
0006764659.tif 000005
【図５】
0006764659.tif 000006
【図６】
0006764659.tif 000007
【図７】
0006764659.tif 000008
【図８】
0006764659.tif 000009